(57)【要約】【課題】環境温度変化等による熱変形を低減して画素ズレを抑制する固定枠、この固定枠を用いた光学装置ユニット、及びプロジェクターを提供する。【解決手段】光変調装置固定枠５０は、光変調装置１５をクロスダイクロイックプリズム４６１に固定する光変調装置固定枠５０であって、光変調装置１５から射出される光束をクロスダイクロイックプリズム４６１の光束入射面４６２に入射させる略矩形の開口部５１１を有する固定枠本体５１を有し、固定枠本体５１は、開口部５１１の少なくとも１辺の周囲に、複数の切り欠きを有する切り欠き部８０を備えている。【選択図】図４
2011150109.tif 000002
【特許請求の範囲】
【請求項１】
光変調装置をプリズムに固定する光変調装置固定枠であって、
前記光変調装置から射出される光束を前記プリズムの光束入射面に入射させる略矩形の開口部を有する固定枠本体を有し、
前記固定枠本体は、前記開口部の少なくとも１辺の周囲に、複数の切り欠きを有する切り欠き部を備えていることを特徴とする光変調装置固定枠。
【請求項２】
請求項１に記載の光変調装置固定枠であって、
前記切り欠きは、前記開口部から前記固定枠本体の外周方向、又は当該固定枠本体の外周から前記開口部方向の少なくとも一方に向って形成されていることを特徴とする光変調装置固定枠。
【請求項３】
請求項２に記載の光変調装置固定枠であって、
前記切り欠き部は、スリット状の切り欠きを含むことを特徴とする光変調装置固定枠。
【請求項４】
請求項１〜請求項３のいずれか一項に記載の光変調装置固定枠と、
前記光変調装置と、
前記プリズムと、
を備えたことを特徴とする光学装置ユニット。
【請求項５】
請求項４に記載の光学装置ユニットを備えたことを特徴とするプロジェクター。
【発明の詳細な説明】
【技術分野】
【０００１】
本発明は、光変調装置固定枠、光学装置ユニット、及びプロジェクターに関する。
【背景技術】
【０００２】
従来、プロジェクターは、光源から射出される光束を画像信号に基づいて変調して光学像を形成する光変調素子（液晶パネル等）を有している。また、光変調素子は、フレームに収容されて光変調装置を構成している。そして、光変調装置は、光合成光学系を構成するプリズム（クロスダイクロイックプリズム）の対応する側面に固定枠等の部材を介して固定されている。なお、プリズムに固定枠で光変調装置を固定した例として、特許文献１が開示されている。
【０００３】
なお、クロスダイクロイックプリズムの互いに直交する３つの光束入射面には、３つの色光（Ｒ光、Ｇ光、Ｂ光）に対応した光変調装置が固定される。この３つの光変調装置は、液晶パネルの互いに対応する画素位置を合致させる調整を行った後、固定される。
【先行技術文献】
【特許文献】
【０００４】
【特許文献１】特開２０００−２２１５８７号公報
【発明の概要】
【発明が解決しようとする課題】
【０００５】
しかし、プリズムに固定枠で光変調装置を固定する構造の場合、光源から射出される光束による熱や、環境温度の変化等により、固定枠が熱膨張や熱収縮する。この固定枠の物理的変化が、プリズムと固定枠を固定している接着剤等に影響し、画素ズレが発生するという課題がある。
従って、環境温度変化等による熱変形を低減して画素ズレを抑制する固定枠、この固定枠を用いた光学装置ユニット、及びプロジェクターが要望されていた。
【課題を解決するための手段】
【０００６】
本発明は、上述した課題の少なくとも一部を解決するためになされたものであり、以下の形態または適用例として実現することが可能である。
【０００７】
（適用例１）本適用例に係る光変調装置固定枠は、光変調装置をプリズムに固定する光変調装置固定枠であって、光変調装置から射出される光束をプリズムの光束入射面に入射させる略矩形の開口部を有する固定枠本体を有し、固定枠本体は、開口部の少なくとも１辺の周囲に、複数の切り欠きを有する切り欠き部を備えていることを特徴とする。
【０００８】
このような光変調装置固定枠によれば、開口部の少なくとも１辺の周囲に複数の切り欠きを有する切り欠き部を備えることにより、固定枠本体の剛性を弱くすることで、環境温度変化等による熱応力を吸収させることができる。従って、熱応力による固定枠本体の変位量を低減することで、画素ズレを抑制できる光変調装置固定枠を実現することができる。
【０００９】
（適用例２）上記適用例に係る光変調装置固定枠において、切り欠きは、開口部から固定枠本体の外周方向、又は固定枠本体の外周から開口部方向の少なくとも一方に向って形成されていることが好ましい。
【００１０】
このような光変調装置固定枠によれば、開口部周囲において、切り欠き部を効率的に形成することができ、剛性を弱くすることができる。従って、熱応力による固定枠本体の変位量を効率的に低減することで、画素ズレを効率的に抑制できる光変調装置固定枠が実現できる。
【００１１】
（適用例３）上記適用例に係る光変調装置固定枠において、切り欠き部は、スリット状の切り欠きを含むことが好ましい。
【００１２】
このような光変調装置固定枠によれば、切り欠き部がスリット状の切り欠きを含むことにより、切り欠き部の形状を簡易な形状とすることができ、設計効率を向上させる。
【００１３】
（適用例４）本適用例に係る光学装置ユニットは、上述したいずれかに記載の光変調装置固定枠と、光変調装置と、プリズムと、を備えたことを特徴とする。
【００１４】
このような光学装置ユニットによれば、画素ズレを抑制できる光変調装置固定枠を用いることで、光学装置ユニットを構成できる。従って、光学装置ユニットの画素ズレに対する環境温度特性を向上させることができる。
【００１５】
（適用例５）本適用例に係るプロジェクターは、上述した光学装置ユニットを備えたことを特徴とする。
【００１６】
このようなプロジェクターによれば、画素ズレに対する環境温度特性を向上させる光学装置ユニットを備えることで、画素ズレに対する画像品質を向上させることができる。
【図面の簡単な説明】
【００１７】
【図１】本実施形態に係るプロジェクターの光学系を示す概平面図。
【図２】光学装置ユニットを示す斜視図。
【図３】光学装置ユニットの分解斜視図。
【図４】光変調装置固定枠の平面図。
【図５】切り欠き部の変形例を示す平面図。
【発明を実施するための形態】
【００１８】
以下、実施形態を図面に基づいて説明する。
（実施形態）
【００１９】
図１は、本実施形態に係るプロジェクター１の光学系４を示す概平面図である。図１を参照して、プロジェクター１の光学系４の構成及び動作を簡単に説明する。
【００２０】
なお、本実施形態を説明する図１及び以降で説明する図において、プロジェクター１に対し、投写レンズ４７１の投写光軸Ｂの方向をＹ軸方向、Ｙ軸方向に直交する光源ランプ４１の照明光軸Ａの方向をＸ軸方向、Ｙ軸方向とＸ軸方向とに直交する方向をＺ方向、としたＸＹＺ直交座標系で示す。また、投写レンズ４７１内を光束が進む方向を＋Ｙ方向、＋Ｙ方向に沿って右方向を＋Ｘ方向、＋Ｙ方向に沿って上方向を＋Ｚ方向とする。なお、Ｚ軸方向は、プロジェクター１の高さ方向（厚み方向）となる。
【００２１】
プロジェクター１の光学系４は、制御部（図示省略）による制御により、画像信号に基づいて画像光を形成するものである。光学系４は、光源装置（光源ランプ４１）、照明光学装置４２、色分離光学装置４３、リレー光学装置４４、光学装置４５、色合成光学装置４６、及び投写光学装置４７を備えている。
【００２２】
光源ランプ４１は、発光管４１１及びリフレクター４１２を有し、発光管４１１の発光により光束をリフレクター４１２で反射させて、被照明領域に射出するものである。
照明光学装置４２は、光源ランプ４１から射出された光束に対し、照明光軸Ａに直交する面内での照度を均一化するためのものである。照明光学装置４２は、レンズアレイ４２２，４２３、偏光変換素子４２４、及び重畳レンズ４２５を有している。また、照明光学装置４２は、３つのフィールドレンズ４２９を有している。フィールドレンズ４２９は、光学装置４５の３つの液晶パネル４５１（光変調素子）の前段に配置され、レンズアレイ４２２から射出された各部分光束をその中心軸に対して平行な光束に変換する。
【００２３】
色分離光学装置４３は、照明光学装置４２からの照明光束を赤色光（Ｒ）、緑色光（Ｇ）、及び青色光（Ｂ）の３つの色光に分離して３つの液晶パネル４５１に導光するものである。色分離光学装置４３は、ダイクロイックミラー４３１，４３２、及び反射ミラー４３３を有している。
【００２４】
リレー光学装置４４は、色分離光学装置４３で分離された色光（本実施形態では赤色光）に対し、光路の長さが他の色光の光路の長さよりも長くなるため、光の発散等による光の利用効率の低下を防止し、液晶パネル４５１（本実施形態では液晶パネル４５１Ｒ）まで導くものである。リレー光学装置４４は、入射側レンズ４４１、リレーレンズ４４３、及び反射ミラー４４２，４４５を有している。
【００２５】
光学装置４５は、各液晶パネル４５１に入射した各色光を画像信号に基づいて変調して色光毎の画像光を形成するものである。光学装置４５は、光変調素子としての３つの液晶パネル４５１、３つの入射側偏光板４５２、３つの射出側偏光板４５３、及び、液晶パネル４５１と射出側偏光板４５３の間に設置される３つの偏光板４５４を有している。なお、液晶パネル４５１は、パネル収容ケース２０（図２参照）に固定される。また、パネル収容ケース２０に液晶パネル４５１を固定（収容）したものが光変調装置１５（図２参照）となる。
【００２６】
液晶パネル４５１は、入射側偏光板４５２を介して入射する光束を画像信号に基づいて変調して射出する。また、液晶パネル４５１は、赤色光用変調素子としての赤色光用の液晶パネル４５１Ｒ、緑色光用変調素子としての緑色光用の液晶パネル４５１Ｇ、及び青色光用変調素子としての青色光用の液晶パネル４５１Ｂとの３つで構成されている。
【００２７】
入射側偏光板４５２は、色分離光学装置４３で分離された各色光のうち、一定方向の偏光光のみ透過させ、その他の光束を吸収するものである。射出側偏光板４５３は、入射側偏光板４５２と略同様に構成され、液晶パネル４５１から射出された光束のうち、所定方向の偏光光のみ透過させ、その他の光束を吸収するものであり、透過させる偏光光の偏光軸は、入射側偏光板４５２における偏光軸に対して略直交するように設定されている。
【００２８】
偏光板４５４は、偏光軸を含めて射出側偏光板４５３と同様に構成され、液晶パネル４５１から射出された光束の偏光光を射出側偏光板４５３に入射させる前段で偏光軸と平行となる偏光光を透過させる。従って、射出側偏光板４５３は、前段の偏光板４５４を透過した偏光光を、更に偏光軸に合わせて透過させる。射出側偏光板４５３に加えて偏光板４５４を設置することにより、スクリーン（図示省略）に投写される画像のコントラストを向上させている。
【００２９】
なお、入射側偏光板４５２、偏光板４５４、及び射出側偏光板４５３は、３つの液晶パネル４５１（４５１Ｒ，４５１Ｇ，４５１Ｂ）に併せて、３つの入射側偏光板４５２（４５２Ｒ，４５２Ｇ，４５２Ｂ）と、３つの偏光板４５４（４５４Ｒ，４５４Ｇ，４５４Ｂ）と、３つの射出側偏光板４５３（４５３Ｒ，４５３Ｇ，４５３Ｂ）を有している。
【００３０】
色合成光学装置４６は、光学装置４５で形成された色光毎の画像光を合成するものである。色合成光学装置４６は、クロスダイクロイックプリズム４６１を有している。クロスダイクロイックプリズム４６１には、赤色光を反射する誘電体多層膜と青色光を反射する誘電体多層膜とが、４つの直角プリズムの界面に沿って略Ｘ字状に設けられ、これらの誘電体多層膜により３つの色光が合成される。クロスダイクロイックプリズム４６１によって合成された色光は光学像として、投写光学装置４７に向けて射出される。
【００３１】
投写光学装置４７は、複数のレンズから構成される投写レンズ４７１を有して構成されている。投写光学装置４７は、色合成光学装置４６で合成された光学像を投写レンズ４７１で拡大し、画像光としてスクリーンに拡大投写する。なお、投写レンズ４７１の光軸を投写光軸Ｂで図示している。
図２は、光学装置ユニット１０を示す斜視図である。図３は、光学装置ユニット１０の分解斜視図である。また、図４は、光変調装置固定枠５０の平面図である。なお、光学装置ユニット１０は、クロスダイクロイックプリズム４６１の３つの光束入射面４６２（４６２Ｒ，４６２Ｇ，４６２Ｂ）に対応して３つの色光用の光変調装置１５を固定したユニットである。しかし、図２、図３では、説明の便宜上、緑色光用の光変調装置１５（１５Ｇ）をクロスダイクロイックプリズム４６１に固定した光学装置ユニット１０を示している。図２〜図４を参照して、光学装置ユニット１０の構成、組み立て、及び光変調装置固定枠５０の構成を説明する。
【００３２】
図２、図３、図４を参照して光学装置ユニット１０の構成及び組み立てを説明する。
光学装置ユニット１０は、大略、クロスダイクロイックプリズム４６１、射出側偏光ユニット６０、光変調装置固定枠５０、偏光ユニット３０、スペーサー２５、及び光変調装置１５を有して構成されている。また、光学装置ユニット１０は、クロスダイクロイックプリズム４６１の光束入射面４６２（４６２Ｇ）から前段方向に、射出側偏光ユニット６０、光変調装置固定枠５０、偏光ユニット３０、スペーサー２５、光変調装置１５の順番で配設されている。以降の説明において、適宜、色光を表す符号を省略して使用する。
【００３３】
光変調装置１５は、液晶パネル４５１と、液晶パネル４５１を収容するパネル収容ケース２０とで構成されている。パネル収容ケース２０は、光束入射側のケースとなるメインケース２１と、光束射出側となるサブケース２２とで構成されている。メインケース２１は、液晶パネル４５１の画素形成領域（図示省略）に対応させて開口させた開口部２１１と、サブケース２２を係合して固定する係合突起部２１２とを有している。また、メインケース２１は、上下方向（Ｚ軸方向）に固定用の貫通孔２１３が複数形成されている。サブケース２２は、板状に形成され、液晶パネル４５１から射出した光束を通過させる開口部（図示省略）と、メインケース２１の係合突起部２１２に係合させる係合孔部２２１とを有している。
【００３４】
光変調装置１５は、最初に、液晶パネル４５１をメインケース２１に光束射出側から挿入した後、液晶パネル４５１の外周部とメインケース２１の内壁との隙間に接着剤を塗布して硬化させることにより、液晶パネル４５１をメインケース２１内部に固定する。その後、サブケース２２を光束入射側から液晶パネル４５１に当接させ、係合孔部２２１をメインケース２１の係合突起部２１２に係合させることで、光変調装置１５が完成する。なお、液晶パネル４５１には、液晶を駆動させるための信号を送るケーブル１５１が接続されている。このケーブル１５１は、メインケース２１とサブケース２２との上方向（＋Ｚ方向）の隙間から延出した状態となる。
【００３５】
スペーサー２５は、光変調装置１５と偏光ユニット３０とを固定する部材である。スペーサー２５は、板状のスペーサー本体２６で構成される。スペーサー本体２６は、光変調装置１５から射出された光束を通過させる開口部２６１を有する。また、スペーサー本体２６は、開口部２６１の左右方向（Ｘ軸方向）で光変調装置固定枠５０方向に窪ませた偏光ユニット固定部２６２を有する。スペーサー本体２６は、開口部２６１の上辺側（＋Ｚ側）の左方向（−Ｘ方向）近辺と、下辺側（−Ｚ側）の右方向（＋Ｘ方向）近辺とに、光変調装置１５をネジ締めにより固定するネジ孔２６３を有している。また、スペーサー本体２６は、コーナー部に、貫通する固定孔２６４が形成されている。
【００３６】
スペーサー２５のネジ孔２６３に対応する光変調装置１５の貫通孔２１３にネジ（図示省略）を挿入して、ネジ孔２６３にネジ締めすることにより、光変調装置１５がスペーサー２５に固定される。また、スペーサー２５の偏光ユニット固定部２６２に、偏光ユニット３０を両面テープ等により貼付することにより、偏光ユニット３０がスペーサー２５に固定される。なお、偏光ユニット３０は、偏光板４５４を固定板３１（本実施形態では水晶板）に貼付して構成されている。
【００３７】
光変調装置固定枠５０は、クロスダイクロイックプリズム４６１に光変調装置１５を固定する部材である。なお、本実施形態では、光変調装置固定枠５０は、クロスダイクロイックプリズム４６１に固定される射出側偏光ユニット６０と、光変調装置１５を固定するスペーサー２５とを固定することにより、間接的にクロスダイクロイックプリズム４６１に光変調装置１５を固定する構造となっている。
【００３８】
光変調装置固定枠５０は、図３、図４に示すように、板状の固定枠本体５１で構成される。固定枠本体５１は、偏光ユニット３０から射出される光束を通過させる略矩形に形成された開口部５１１を有する。また、固定枠本体５１は、開口部５１１の左右方向（Ｘ軸方向）の辺周囲で偏光ユニット３０方向に突出させた射出側偏光板逃げ部５１２を有する。また、固定枠本体５１は、コーナー部に、偏光ユニット３０方向に曲折して形成され、スペーサー２５の４つの固定孔２６４に挿通する４つのスペーサー固定片５１３を有する。
【００３９】
固定枠本体５１は、開口部５１１の周囲に切り欠き部８０を有している。切り欠き部８０は、略矩形の開口部５１１の１辺となる上辺５１１ａの周囲において、上辺５１１ａから上方向（＋Ｚ方向）の固定枠本体５１の外周（上外周端部５１ａ）に向かって、スリット状に切り欠かれた３つの切り欠きとなるスリット８１（８１ａ，８１ｂ，８１ｃ）を有している。また、切り欠き部８０は、開口部５１１の下辺５１１ｂの周囲において、下辺５１１ｂから下方向（−Ｚ方向）の固定枠本体５１の外周（下外周端部５１ｂ）に向かって、スリット状に切り欠かれた３つの切り欠きとなるスリット８１（８１ｄ，８１ｅ，８１ｆ）を有している。
【００４０】
また、切り欠き部８０は、開口部５１１の右辺５１１ｃの周囲（射出側偏光板逃げ部５１２）において、右方向（＋Ｘ方向）の固定枠本体５１の外周（右外周端部５１ｃ）から右辺５１１ｃに向かって、切り欠かれた２つの切り欠き８２（８２ａ，８２ｂ）を有している。また、切り欠き部８０は、開口部５１１の左辺５１１ｄの周囲（射出側偏光板逃げ部５１２）において、左方向（−Ｘ方向）の固定枠本体５１の外周（左外周端部５１ｄ）から左辺５１１ｄに向かって、切り欠かれた２つの切り欠き８２（８２ｃ，８２ｄ）が形成されている。
【００４１】
上述したように、本実施形態の固定枠本体５１は、開口部５１１の４辺（上辺５１１ａ、下辺５１１ｂ、右辺５１１ｃ、左辺５１１ｄ）の周囲に、複数のスリット８１（８１ａ〜８１ｆ）及び複数の切り欠き８２（８２ａ〜８２ｄ）を有する切り欠き部８０を備えている。なお、本実施形態の光変調装置固定枠５０は、鉄系板材としてのＳＥＣＣ（電気亜鉛めっき鋼板）を用いて、加工性の向上やコスト低減を図っている。
【００４２】
次に、光学装置ユニット１０の組み立てを説明する。
最初に、クロスダイクロイックプリズム４６１の光束入射面４６２（４６２Ｇ）に対し、射出側偏光ユニット６０を接着剤により固定する。本実施形態では、接着剤として紫外線硬化型接着剤を用い、紫外線を照射することで硬化させて固定している。
【００４３】
次に、光変調装置固定枠５０を射出側偏光ユニット６０に固定する。詳細には、射出側偏光ユニット６０の射出側偏光板４５３（４５３Ｇ）が貼付されていない固定板６１の上下方向（Ｚ軸方向）の端部領域に接着剤を塗布し、対応する光変調装置固定枠５０の上下方向（Ｚ軸方向）の端部領域を接着固定する。本実施形態では、接着剤として紫外線硬化型接着剤を用い、紫外線を照射することで硬化させて固定している。
【００４４】
次に、光変調装置固定枠５０に、光変調装置１５（１５Ｇ）と偏光ユニット３０とが固定されたスペーサー２５を設置する。詳細には、光変調装置固定枠５０のスペーサー固定片５１３を、スペーサー２５の対応する固定孔２６４に挿通する。そして、スペーサー固定片５１３を挿通した固定孔２６４に接着剤（本実施形態では紫外線硬化型接着剤）を塗布する。
【００４５】
なお、ここまでの組み立ては、緑色光に対して説明したが、残りの赤色光及び青色光に対しても上述したと同様にして組み立てる。このようにして、クロスダイクロイックプリズム４６１の互いに直交する３つの光束入射面４６２（４６２Ｒ，４６２Ｇ，４６２Ｂ）に対応させて光変調装置１５を組み立てた後、３つの光変調装置１５（液晶パネル４５１）の画素位置を合致させる調整（画素位置調整）を行う。画素位置調整は、調整用治具（図示省略）を用いて行う。詳細には、画素位置調整は、調整用治具で各スペーサー２５の上端部を保持させ、各スペーサー２５を６軸（Ｘ，Ｙ，Ｚ，θｘ，θｙ，θｚ）方向に相互に移動させて行う。
【００４６】
なお、スペーサー２５の固定孔２６４は、挿通された光変調装置固定枠５０のスペーサー固定片５１３との間に隙間を有するように形成されている。従って、固定孔２６４は、挿通されたスペーサー固定片５１３に対して移動することができるため、画素位置調整によるスペーサー２５の移動を円滑に行わせる。
【００４７】
なお、３つの光変調装置１５の画素位置調整が終了した後、固定孔２６４に塗布した接着剤を硬化させ、スペーサー固定片５１３を固定孔２６４に固定する。本実施形態では、紫外線を照射することにより接着剤としての紫外線硬化型接着剤を硬化させる。以上により、図２に示す光学装置ユニット１０が完成する。
【００４８】
但し、図２は、緑色光用の光変調装置１５Ｇのみをクロスダイクロイックプリズム４６１に組み付けた状態の光学装置ユニット１０を図示している。実際には、光学装置ユニット１０は、赤色光用及び青色光用の光変調装置１５も組み付けた状態となる。
【００４９】
この光学装置ユニット１０を組み込んだプロジェクター１を動作させた場合、光源ランプ４１から射出される光束により、液晶パネル４５１（光変調装置１５）が発熱する。また、偏光板４５４や射出側偏光板４５３も発熱する。これらの熱は光変調装置固定枠５０に伝達されて温度が上昇する。光変調装置固定枠５０の温度上昇により、固定枠本体５１に熱応力が加わることで、固定枠本体５１の特にスペーサー固定片５１３の位置を変化させる力が加わることになる。しかし、本実施形態では、開口部５１１の周囲に切り欠き部８０を有したことにより、開口部５１１周囲の固定枠本体５１の剛性を弱くしている。これにより、熱応力による固定枠本体５１の変位量を低減している。
【００５０】
上述した実施形態によれば、以下の効果が得られる。
本実施形態の光変調装置固定枠５０（固定枠本体５１）は、開口部５１１の４辺（上辺５１１ａ、下辺５１１ｂ、右辺５１１ｃ、左辺５１１ｄ）の周囲に、複数のスリット８１及び複数の切り欠き８２を有する切り欠き部８０を備えている。この構成により、固定枠本体５１の剛性を弱くすることで、プロジェクター１を駆動させた場合の温度変化による熱応力を吸収させることができる。従って、熱応力による固定枠本体５１の変位量を低減することで、画素ズレを抑制できる光変調装置固定枠５０を実現することができる。
【００５１】
また、固定枠本体５１の剛性を弱くすることで、射出側偏光ユニット６０の固定板６１と光変調装置固定枠５０との接着部分に対しても、熱応力による影響を低減することができるため、接着力に影響を与えず、固定品質を維持することができる。
【００５２】
本実施形態の光変調装置固定枠５０によれば、切り欠き部８０において、スリット８１（８１ａ〜８１ｆ）は、開口部５１１から固定枠本体５１の外周方向に向って形成されている。また、切り欠き８２（８２ａ〜８２ｄ）は、固定枠本体５１の外周から開口部５１１方向に向って形成されている。このように、切り欠き部８０を構成するスリット８１及び切り欠き８２は、開口部５１１から固定枠本体５１の外周方向、又は固定枠本体５１の外周から開口部５１１方向に向って形成されることにより、切り欠き部８０を効率的に形成することができ、剛性を弱くすることができる。従って、熱応力による固定枠本体５１の変位量を効率的に低減することで、画素ズレを効率的に抑制できる光変調装置固定枠５０を実現する。
【００５３】
本実施形態の光変調装置固定枠５０によれば、切り欠き部８０は、スリット状の切り欠きとして、スリット８１（８１ａ〜８１ｆ）を有している。この構成により、切り欠き部８０の形状を簡易な形状とすることができ、設計効率を向上させる。また、スリット８１を用いることで、限られた大きさ（面積）の固定枠本体５１において、必要な剛性を確保しつつ、温度変化に対して変位量を低減させることができる。
【００５４】
本実施形態の光学装置ユニット１０は、クロスダイクロイックプリズム４６１と、光変調装置１５とを、光変調装置固定枠５０を介して固定する。また、光変調装置固定枠５０は、熱応力による変位量を低減させて画素ズレを抑制する。従って、光学装置ユニット１０は、画素ズレに対する環境温度特性を向上させることができる。
【００５５】
本実施形態のプロジェクター１によれば、画素ズレに対する環境温度特性を向上させる光学装置ユニット１０を備えることで、画素ズレに対する画像品質を向上させることができる。従って、プロジェクター１を設置する設置場所や、プロジェクター１を使用する地域を拡大することが可能となる。
【００５６】
なお、上述した実施形態に限定されず、その要旨を逸脱しない範囲において種々の変更や改良等を加えて実施することが可能である。変形例を以下に述べる。
【００５７】
（変形例１）前記実施形態の光変調装置固定枠５０において、発明者らは、切り欠き部８０の形状を基に、シミュレーションによる応力解析並びに変位量解析を行っている。その結果、画素ズレを低減するのに適する、スリット８１の切り込み量と、開口部５１１から固定枠本体５１の対応する外周端部までの距離との寸法関係、及び、切り欠き８２の切り込み量と、固定枠本体５１の外周端部から対応する開口部５１１までの距離との寸法関係を導き出した。なお、スリット８１及び切り欠き８２の幅は１ｍｍとした場合である。以降、その内容に関して図４を参照して説明する。
【００５８】
最初に、スリット８１（８１ａ，８１ｂ，８１ｃ）に関して説明する。開口部５１１の上辺５１１ａから上外周端部５１ａに向かって形成されるスリット８１（８１ａ，８１ｂ，８１ｃ）の上辺５１１ａからの切り込み量を「Ｃ」とし、上辺５１１ａから上外周端部５１ａまでの距離を「Ｄ」とする。その場合、ＣはＤの２／３程度とすることが好ましい。
【００５９】
次に、スリット８１（８１ｄ，８１ｅ，８１ｆ）に関して説明する。開口部５１１の下辺５１１ｂから下外周端部５１ｂに向かって形成されるスリット８１（８１ｄ，８１ｅ，８１ｆ）の下辺５１１ｂからの切り込み量を「Ｅ」とし、下辺５１１ｂから下外周端部５１ｂまでの距離を「Ｆ」とする。その場合、ＥはＦの２／３程度とすることが好ましい。
【００６０】
次に、切り欠き８２（８２ａ，８２ｂ）に関して説明する。右外周端部５１ｃから開口部５１１の右辺５１１ｃに向かって形成される切り欠き８２（８２ａ，８２ｂ）の右外周端部５１ｃからの切り込み量を「Ｊ」とし、右外周端部５１ｃから右辺５１１ｃまでの距離を「Ｋ」とする。その場合、ＪはＫの１／５程度とすることが好ましい。なお、左外周端部５１ｄに形成される切り欠き８２（８２ｃ，８２ｄ）に関しては、切り欠き８２（８２ａ，８２ｂ）と同様の寸法関係が好ましい。
【００６１】
（変形例２）図５は、切り欠き部８０の変形例を示す平面図である。前記実施形態の光変調装置固定枠５０において、切り欠き部８０の切り欠き形状の変形例に関して、図５を参照して説明する。
【００６２】
図５（ａ）は、切り欠き部８０として略矩形状の切り欠き８５を形成した図である。スリット形状ではなく、幅を広く確保した切り欠き８５により、剛性を弱くして熱応力を吸収させ、画素ズレを抑制させる。図５（ｂ）は、切り欠き部８０として略三角形状の切り欠き８６を形成した図である。矩形状ではなく、三角形状でも切り欠きの幅を広く確保することで、剛性を弱くして熱応力を吸収させ、画素ズレを抑制させる。図５（ｃ）は、切り欠き部８０として、切り込み方向を交互にしてスリット８７，８８，８９を形成した図である。交互に形成されるスリット８７，８８，８９により、剛性を弱くして熱応力を吸収させ、画素ズレを抑制させる。
【００６３】
（変形例３）前記実施形態の光変調装置固定枠５０は、開口部５１１の４辺（上辺５１１ａ、下辺５１１ｂ、右辺５１１ｃ、左辺５１１ｄ）の周囲に、スリット８１及び切り欠き８２で構成される切り欠き部８０を有している。しかし、開口部５１１の少なくとも１辺の周囲に切り欠き（スリットを含む）が形成されることでよいため、１辺の周囲にのみ形成されてもよいし、２辺または３辺の周囲に形成されてもよい。
【００６４】
（変形例４）前記実施形態の光変調装置固定枠５０の切り欠き（スリット８１、切り欠き８２）は、開口部５１１から固定枠本体５１の外周（外周端部）方向、及び固定枠本体５１の外周（外周端部）から開口部５１１方向に向かって形成されている。しかし、少なくとも一方向に向かって形成されていればよく、開口部５１１から固定枠本体５１の外周（外周端部）方向にのみ向かって形成されていてもよいし、固定枠本体５１の外周（外周端部）から開口部５１１方向にのみ向かって形成されていてもよい。
【００６５】
（変形例５）前記実施形態の光変調装置固定枠５０は、鉄系板材としてのＳＥＣＣ（電気亜鉛めっき鋼板）を用いている。しかし、これに限られず、鉄系板材としてのＳＰＣＣ（冷間圧延鋼板）等やアルミニウム系板材等を用いてもよい。また、ステンレス（ＳＵＳ）の板材を用いてもよい。
【００６６】
（変形例６）前記実施形態の偏光ユニット３０を構成する固定板３１や射出側偏光ユニット６０を構成する固定板６１は、水晶板を用いているが、これに限られず、サファイア板等の熱伝導性の高い板部材を用いてもよい。
【００６７】
（変形例７）前記実施形態の光学系４は、液晶パネル４５１とクロスダイクロイックプリズム４６１との間に偏光板４５４と射出側偏光板４５３とを用いているが、偏光板４５４は用いず、射出側偏光板４５３のみを用いる構成としてもよい。このような光学系を用いた場合、前記実施形態のスペーサー２５や、偏光ユニット３０は用いることなく、光変調装置固定枠が直接、光変調装置１５を保持固定する構造としてもよい。
【００６８】
（変形例８）前記実施形態の光変調装置固定枠５０は、透過型の液晶パネル４５１を備えた光変調装置１５を固定しているが、反射型の液晶パネルを備えた光変調装置に対応させて固定することでもよい。
【００６９】
（変形例９）前記実施形態の光学系４は、光源装置（光源ランプ４１）から射出された光束の照度を均一化する光学系として、レンズアレイ４２２，４２３からなるレンズインテグレーター光学系を用いている。しかし、これに限定されるものではなく、導光ロッドからなるロッドインテグレーター光学系も用いることができる。
【００７０】
（変形例１０）前記実施形態の光学系４において、光源装置（光源ランプ４１）は、放電式ランプを採用しているが、レーザーダイオード、ＬＥＤ（Light Emitting Diode）、有機ＥＬ（Electro Luminescence）素子、シリコン発光素子等の各種固体発光素子で構成してもよい。
【符号の説明】
【００７１】
１…プロジェクター、４…光学系、１０…光学装置ユニット、１５…光変調装置、５０…光変調装置固定枠、５１…固定枠本体、６０…射出側偏光ユニット、８０…切り欠き部、８１…スリット、８２…切り欠き、４５１…液晶パネル、４５３…射出側偏光板、４６１…クロスダイクロイックプリズム、４６２…光束入射面、５１１…開口部。
【図１】
2011150109.tif 000003
【図２】
2011150109.tif 000004
【図３】
2011150109.tif 000005
【図４】
2011150109.tif 000006
【図５】
2011150109.tif 000007